(57)【要約】【課題】一緒に居ながら静かで快適に就寝することができる寝室構造と、この寝室構造に好適に用いることができる寝室用置き棚とを提供する。【解決手段】寝室用置き棚１は、人が横たわることが可能な大きさに形成され、畳２２が敷設可能となされた床面２と、この床面２の長手方向の一辺に隣接して設けられた置き棚３とを具備し、置き棚３は、床面２に横たわった人の視線の高さに、この置き棚３の床面２側から反対側へと貫通する開放棚３２が設けられ、この開放棚３２には、開放棚３２の長手方向に沿って滑動可能となされた引き戸３１が設けられてなる。この寝室用置き棚１による寝室構造は、この引き戸３１の開閉によって置き棚３の隣接する位置に設けたベッド５と、床面２との間を連通させたり閉塞させたりできるようになされたものである。【選択図】  図１
2010119510.tif 000002
【特許請求の範囲】
【請求項１】
寝室に二つのベッドが隣接して設けられ、これらベッド間を遮るように置き棚が設けられ、この置き棚は、双方のベッド間を貫通する開放棚を具備し、
開放棚は、ベッドに横たわった人の視線高さ位置に設けられるとともに、この開放棚に沿って滑動可能となされた引き戸が設けられ、この引き戸の開閉によって隣接するベッド間を連通させたり閉塞させたりできるようになされたことを特徴とする寝室構造。
【請求項２】
置き棚には、一方のベッド側および／または他方のベッド側に開放された収納棚がさらに具備された請求項１記載の寝室構造。
【請求項３】
置き棚の少なくとも一方に畳を敷設可能な床面が形成され、この床面がベッドとなされた請求項１または２記載の寝室構造。
【請求項４】
請求項３記載の寝室構造に用いられる寝室用の置き棚であって、
人が横たわることが可能な大きさに形成され、畳が敷設可能となされた床面と、この床面の長手方向の一辺に隣接して設けられた置き棚とを具備し、
置き棚は、床面に横たわった人の視線の高さに、この置き棚の床面側から反対側へと貫通する開放棚が設けられ、この開放棚には、開放棚の長手方向に沿って滑動可能となされた引き戸が設けられてなることを特徴とする寝室用置き棚。
【発明の詳細な説明】
【技術分野】
【０００１】
本発明は、住宅建物内の寝室構造と、この寝室構造に好適に用いることができる寝室用置き棚とに関するものである。
【背景技術】
【０００２】
従来より、住宅建物において、夫婦の寝室のように二人用の就寝空間には、一つの寝室にダブルベッドを一つ配置するか、シングルベッドを二つ配置して構成されている（例えば、特許文献１参照）。
【特許文献１】特開２００２−７０３３４号公報
【発明の開示】
【発明が解決しようとする課題】
【０００３】
しかし、上記従来の寝室の場合、相手のイビキが気になったり、相手の読書灯が気になったりして寝付けないといった不都合を生じることとなる。また、ダブルベッドで就寝する場合には、夜中にトイレへ行くためにベッドを離れる際にベッドが揺れて相手を起こしてしまったりするといった不都合を生じる。
【０００４】
そのため、夫婦別室で就寝するといったことも考えられるが、高齢者夫婦や病気を抱えた夫婦などの場合、相手の体調の異変に直ぐに気づくことが出来ないといった不都合を生じることとなる。
【０００５】
本発明は係る実情に鑑みてなされたものであって、一緒に居ながら静かで快適に就寝することができる寝室構造と、この寝室構造に好適に用いることができる寝室用置き棚とを提供することを目的としている。
【課題を解決するための手段】
【０００６】
上記課題を解決するための本発明の寝室構造は、寝室に二つのベッドが隣接して設けられ、これらベッド間を遮るように置き棚が設けられ、この置き棚は、双方のベッド間を貫通する開放棚を具備し、開放棚は、ベッドに横たわった人の視線高さ位置に設けられるとともに、この開放棚に沿って滑動可能となされた引き戸が設けられ、この引き戸の開閉によって隣接するベッド間を連通させたり閉塞させたりできるようになされたものである。
【０００７】
また、置き棚には、一方のベッド側および／または他方のベッド側に開放された収納棚がさらに具備されたものであってもよい。
【０００８】
さらに、置き棚の少なくとも一方に畳を敷設可能な床面が形成され、この床面がベッドとなされたものであってもよい。
【０００９】
また、上記課題を解決するための本発明の寝室用置き棚は、上記寝室構造に用いられる寝室用の置き棚であって、人が横たわることが可能な大きさに形成され、畳が敷設可能となされた床面と、この床面の長手方向の一辺に隣接して設けられた置き棚とを具備し、
置き棚は、床面に横たわった人の視線の高さに、この置き棚の床面側から反対側へと貫通する開放棚が設けられ、この開放棚には、開放棚の長手方向に沿って滑動可能となされた引き戸が設けられてなるものである。
【発明の効果】
【００１０】
以上述べたように、本発明によると、置き棚によってベッド間が遮られるので、それぞれが静かに就寝することができる。
【００１１】
また、ベッド間を遮っているのは置き棚で、しかも引き戸を開閉することによってベッド間を見通すことができるので、隣で就寝している人に何か異変などがあった場合にはすぐに確認したり、知らせたりすることができるので、安心して快適に就寝することができる。
【発明を実施するための最良の形態】
【００１２】
以下、本発明の実施の形態を図面を参照して説明する。
【００１３】
図１ないし図３は寝室用置き棚１の全体構成の概略を示し、図４は同寝室用置き棚１を設けた寝室１０を示している。
【００１４】
すなわち、この寝室用置き棚１は、寝室１０に用いられるものであって、床面２と置き棚３とを具備し、置き棚３には、引き戸３１によって開閉可能な開放棚３２が設けられている。
【００１５】
床面２は、幅約１４５０ｍｍ、長さ約２０００ｍｍ、高さ約１５０ｍｍに形成された木製枠組２１の上面に、畳２２をはめ込んで形成されている。この床面２は、長手方向に沿って人が横たわることができる大きさとなされており、一方を頭側、他方を足側にして就寝することができる畳ベッドを構成するようになされている。
【００１６】
置き棚３は、この床面２の長手方向に沿った一方の側面に一体化するように設けられている。この置き棚３は、長さ約２０００ｍｍ、幅約２２０ｍｍ、高さ約１２００ｍｍに形成され、長さ方向の中央に設けられた仕切り板３ａで、前後に仕切られている。なお、前は上記床面２の頭側、後は上記床面２の足側である。
【００１７】
置き棚３の上から一段目と二段目とは、床面２側に開口して反床面側が閉塞された、または反床面側に開口して床面２側が閉塞された、収納棚３３が形成されている。この収納３３は、仕切り板３ａより前側が床面２側に開口していれば、後側が反床面側に開口し、前面が反床面側に開口していれば後側が床面側に開口するように互い違いに形成されている。
【００１８】
また、置き棚３の上から三段目は、床面２側から反床面側へと貫通する開放棚３２が形成されている。この開放棚３２は、床面２側端縁および反床面側端縁に設けられたガイドレール（図示省略）に沿って引き戸３１が滑動可能に設けられている。この引き戸３１は、開放棚３２の仕切り板３ａの前後何れか半分を閉塞することができる大きさに形成されており、床面２側および反床面側にそれぞれ一枚ずつ設けられる。この引き戸３１は、両面の両側に引き手３１ａが設けられており、床面２側または反床面側の何れからでも、床面２側または反床面側の引き戸３１を開閉することができるようになされている。
【００１９】
さらに、置き棚３の上から四段目は、床面２側、または反床面側へ引き出すことができる引き出し収納棚３４を形成するようになされている。
【００２０】
この寝室用置き棚１の床面２の頭側の位置には、ヘッドボード４が設けられている。このヘッドボード４は、置き棚３を挟んで反床面側にも延設されており、高さ約１２５０ｍｍ、幅約３１４０ｍｍに形成されている。そして、この反床面側に延設されたヘッドボード４の位置が頭となるように、置き棚３を挟んだ床面２の反対側の位置に、ベッド５の配置場所が形成されている。
【００２１】
このようにして構成される寝室用置き棚１は、寝室１０に設けられ、上記した配置場所にベッド５を設けて使用される。
【００２２】
この寝室用置き棚１によって構成される寝室構造によると、一人はベッド５で就寝し、残りの一人は床面２に布団を敷いて就寝する。この際、ベッド５まはた床面２の何れ側で寝る場合であっても、両者間に置き棚３があるため、何れか一方で読書灯を付けているような場合であっても、置き棚３が程よく光を遮断するので、他の一方では眩しくて気になる程ではなく、快適に就寝することができる。また、何れか一方でイビキをかくようなことがあっても、置き棚３が程よく遮音するため、他の一方では快適に就寝することができる。
【００２３】
また、上記の何れの場合でも、完全に気配を消すのではなく、何となく気配を感じながら就寝することができる。したがって、高齢者や病人などを抱えているような家庭の場合、万が一何かあった場合は、素早く気づくことができる。また、就寝中に何か気になるような場合であっても、寝た体勢のまま開放棚３２の引き戸３１を開けて隣を確認することができるし、この引き戸３１を開けたまま就寝することもできる。また、二人のうち何れかが死亡したり、何らかの理由で一人になった場合には、ベッド５で就寝し、床面２は和室コーナーとして使用することができる。
【００２４】
なお、本実施の形態において、寝室用置き棚１は、置き棚３の一方に床面２が設けられているが、置き棚３の両側に床面２が形成されたものであってもよいし、置き棚３のみで構成され、寝室１０で使用する際には置き棚３の両側にそれぞれベッド５を設けるものであってもよい。
【００２５】
また、本実施の形態において、寝室用置き棚１は、置き棚３の上から三段目の位置に、引き戸３１によって開閉可能な開放棚３２を設けているが、この開放棚３２を設ける高さ位置としては、特に上から三段目に限定されるものではなく、１段目、２段目または４段目であってもよい。この開放棚３２を設ける位置としては、就寝した状態のまま引き戸３１を開けて隣を確認することができる高さを基準に決定される。床面２の畳２２の表面を０とした場合、開放棚３２を設ける位置としては、０〜１０００ｍｍ、好ましくは２００〜６００ｍｍが良い。また、開口の高さとしても６００ｍｍ以下、好ましくは２００ｍｍ〜３５０ｍｍ程度がよい。開口高さが大きすぎると引き戸３１を開けた際に大きく開口し過ぎて置き棚３の意味が無くなり、小さすぎると引き戸３１を開けた際に充分に開口せず隣を確認し難くなる。
【００２６】
また、本実施の形態において、寝室用置き棚１は、置き棚３に、開放棚３２以外に、収納棚３３、引き出し収納棚３４を設けているが、上記したように、就寝した状態のまま隣の位置を確認できる位置に開放棚３２を設けておけば、その他については各棚の割付位置や設ける数としては、特に限定されるものではなく、自由に設計したものを用いることがてきる。
【産業上の利用可能性】
【００２７】
本発明に係る寝室構造および寝室用置き棚は、住宅建物の二人用の寝室空間に使用される。
【図面の簡単な説明】
【００２８】
【図１】本発明に係る寝室構造に用いられる寝室用置き棚の全体構成の概略を示す斜視図である。
【図２】（ａ）は本発明に係る寝室構造に用いられる寝室用置き棚の反床面側の側面図、（ｂ）は同図（ａ）におけるＩ−Ｉ線断面図である。
【図３】（ａ）は本発明に係る寝室構造に用いられる寝室用置き棚の床面側の側面図、（ｂ）は同図（ａ）におけるＩＩ−ＩI 線断面図である。
【図４】図１ないし図３に係る寝室用置き棚を設けて構成された本発明に係る寝室構造を示す平面図である。
【符号の説明】
【００２９】
１  寝室用置き棚
１０  寝室
２  床面
２２  畳
３  置き棚
３１  引き戸
３２  開放棚
３３  収納棚
５  ベッド
【図１】
2010119510.tif 000003
【図２】
2010119510.tif 000004
【図３】
2010119510.tif 000005
【図４】
2010119510.tif 000006